【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
弾性材料からなる表面層；および
該表面層と隣接して配置され、前記表面層を構成する弾性材料の弾性率と異なる弾性率を有する弾性材料からなる下層；
を含む、三次元実体モデル。
【請求項２】
前記三次元実体モデルがヒトの身体部位と同等の形状を有している、請求項１に記載の三次元実体モデル。
【請求項３】
前記表面層を構成する弾性材料の弾性率および下層を構成する弾性材料の弾性率は、表面層の表面から下層に向かって押圧したときの弾性率が前記ヒトの身体部位の表面から内部に向かって押圧したときの弾性率と近似するように、調整されている、請求項２に記載の三次元実体モデル。
【請求項４】
前記表面層を構成する弾性材料および前記下層を構成する弾性材料がいずれもポリマーである、請求項１〜３のいずれかに記載の三次元実体モデル。
【請求項５】
前記下層を構成する弾性材料の弾性率が、前記表面層を構成する弾性材料の弾性率の１〜９９．９％または１００．１〜５００％の範囲内である、請求項１〜４のいずれかに記載の三次元実体モデル。
【請求項６】
前記下層を構成する弾性材料の弾性率と、前記表面層を構成する弾性材料の弾性率との差の絶対値が１．０×１０４〜１．０×１０６Ｐａである、請求項１〜５のいずれかに記載の三次元実体モデル。
【請求項７】
前記表面層を構成する弾性材料の弾性率が１．０×１０４〜１．０×１０６Ｐａである、請求項１〜６のいずれかに記載の三次元実体モデル。
【請求項８】
前記表面層を構成する弾性材料が、シリコーンゴム、イソプレンゴム、ブタジエンゴム、スチレン・ブタジエンゴム、クロロプレンゴム、ニトリルゴム、ポリイソブチレン、エチレンプロピレンゴム、エピクロルヒドリンゴム、ウレタンゴム、およびゼラチンからなる群から選択され、
前記下層を構成する弾性材料が、シリコーンゴム、イソプレンゴム、ブタジエンゴム、スチレン・ブタジエンゴム、クロロプレンゴム、ニトリルゴム、ポリイソブチレン、エチレンプロピレンゴム、エピクロルヒドリンゴム、ウレタンゴム、ゼラチン、およびシリコーンゲルからなる群から選択される、請求項１〜７のいずれかに記載の三次元実体モデル。
【請求項９】
前記下層を構成する弾性材料が前記表面層を構成する弾性材料の弾性率よりも低い弾性率を有する、請求項１〜８のいずれかに記載の三次元実体モデル。
【請求項１０】
前記下層を構成する弾性材料の弾性率が、前記表面層を構成する弾性材料の弾性率の１〜８０％の範囲内である、請求項９に記載の三次元実体モデル。
【請求項１１】
前記下層を構成する弾性材料の弾性率と、前記表面層を構成する弾性材料の弾性率との差の絶対値が５．０×１０４〜１．０×１０６Ｐａである、請求項９または１０に記載の三次元実体モデル。
【請求項１２】
前記三次元実体モデルが、乳房、臓器、口唇、外鼻、眼瞼、および顔面からなる群から選択されるヒトの身体部位と同等の形状を有している、請求項９〜１１のいずれかに記載の三次元実体モデル。
【請求項１３】
前記表面層を構成する弾性材料がシリコーンゴムまたはポリウレタンゴムであり、
前記下層を構成する弾性材料がシリコーンゴム、シリコーンゲルまたはゼラチンであり、
前記三次元実体モデルが乳房と同等の形状を有している、請求項９〜１２のいずれかに記載の三次元実体モデル。
【請求項１４】
前記下層を構成する弾性材料が前記表面層を構成する弾性材料の弾性率よりも高い弾性率を有する、請求項１〜８のいずれかに記載の三次元実体モデル。
【請求項１５】
前記下層を構成する弾性材料の弾性率が、前記表面層を構成する弾性材料の弾性率の１０１〜５００％の範囲内である、請求項１４に記載の三次元実体モデル。
【請求項１６】
前記下層を構成する弾性材料の弾性率と、前記表面層を構成する弾性材料の弾性率との差の絶対値が１．０×１０５〜１．０×１０６Ｐａである、請求項１４または１５に記載の三次元実体モデル。
【請求項１７】
前記三次元実体モデルが耳介と同等の形状を有している、請求項１４〜１６のいずれかに記載の三次元実体モデル。
【請求項１８】
前記表面層を構成する弾性材料がシリコーンゴムまたはポリウレタンゴムであり、
前記下層を構成する弾性材料がシリコーンゴムまたはポリウレタンゴムである、請求項１４〜１７のいずれかに記載の三次元実体モデル。
【請求項１９】
前記三次元実体モデルが手術シミュレーションのために使用される、請求項１〜１８のいずれかに記載の三次元実体モデル。
【請求項２０】
手術シミュレーションが、医師の手術熟練度の向上のための手術練習、手術を円滑に進めるための手術計画の立案、または患者への手術説明を目的として行われる、請求項１９に記載の三次元実体モデル。
【請求項２１】
請求項１〜２０のいずれかに記載の三次元実体モデルの製造方法であって、
注型法により、硬化性材料を含む表面層形成用樹脂組成物を硬化させて表面層を形成する工程；および
注型法により、硬化性材料を含む下層形成用樹脂組成物を硬化させて下層を形成する工程；
を含み、
前記表面層および前記下層の硬化条件を調整することにより、表面層および下層の弾性率を制御する、該方法。
【請求項２２】
請求項１〜２０のいずれかに記載の三次元実体モデルの製造方法であって、
注型法により、硬化性材料を含む下層形成用樹脂組成物を硬化させて下層を形成する工程；および
積層法により、前記下層の表面で、硬化性材料を含む表面層形成用樹脂組成物を硬化させて表面層を形成する工程；
を含み、
前記表面層および前記下層の硬化条件を調整することにより、表面層および下層の弾性率を制御する、該方法。
【請求項２３】
請求項１〜２０のいずれかに記載の三次元実体モデルの製造方法であって、
積層法により、塩型の表面で、硬化性材料を含む表面層形成用樹脂組成物を硬化させ、塩型を除去して中空状表面層を形成する工程；および
注入法により、前記中空状表面層の中に、下層を構成する材料を注入し、下層を形成する工程； 
を含み、
前記表面層の硬化条件を調整することにより、表面層の弾性率を制御する、該方法。
【請求項２４】
前記三次元実体モデルは前記下層の表面層側とは反対側に配置される深層をさらに含み、
該深層は２５℃で液体状態の物質から構成されている、請求項１〜２０のいずれかに記載の三次元実体モデル。
【請求項２５】
請求項２４に記載の三次元実体モデルの製造方法であって、
積層法により、塩型の表面で、硬化性材料を含む下層形成用樹脂組成物を硬化させて下層を形成する工程； 
積層法により、前記下層の表面で、硬化性材料を含む表面層形成用樹脂組成物を硬化させて表面層を形成し、前記塩型を除去して中空状積層体を得る工程；および
注入法により、前記中空状積層体の中に、前記液体状態の物質を注入し、深層を形成する工程；
を含み、
前記表面層および前記下層の硬化条件を調整することにより、表面層および下層の弾性率を制御する、該方法。
【請求項２６】
前記硬化条件が、前記表面層形成用樹脂組成物および前記下層形成用樹脂組成物における硬化剤および溶媒の配合比率、ならびに前記表面層および前記下層の硬化のための加熱温度、加熱時間および照射量からなる群から選択される１以上の条件である、請求項２１、２２、２３または２５に記載の三次元実体モデルの製造方法。